(57)【要約】      （修正有）【課題】使用者の身体からずれ落ちることのないネックピロー可変式ブランケットを提供する。【解決手段】ネックピローの形状に形成された袋体４であって、該袋体４の収納口１０を開閉することができるように、該収納口１０の外側に沿って第１のジッパー８が設けられている、袋体４と、袋体４内に収納可能に構成されたブランケット体２であって、該ブランケット体２の一辺縁が袋体４の収納口１０を通って袋体４の内装に接続されている、ブランケット体２と、を備え、ブランケット体２の一辺縁に沿って第２のジッパーの一方の片側エレメント２０が設けられているとともに、袋体４の内側の所定の位置に第２のジッパーの他方の片側エレメント２４が設けられている。【選択図】図３Ｄ
0003218875.tif 000002
【実用新案登録請求の範囲】
【請求項１】
ネックピローの形状に形成された袋体であって、該袋体の収納口を開閉することができるように、該収納口の外側に沿ってジッパーが設けられている、袋体と、
上記袋体内に収納可能に構成されたブランケット体であって、該ブランケット体の一辺縁が上記袋体の収納口を通って上記袋体の内装に分離可能に接続されている、ブランケット体と、
を備え、
上記ブランケット体の上記一辺縁に沿って１つ又は複数の係合具が設けられているとともに、これらと係合する１つ又は複数の係合具が、上記袋体の内側の所定の位置に取り付けられた帯状体に設けられていることを特徴とする、ネックピロー可変式ブランケット。
【請求項２】
ネックピローの形状に形成された袋体であって、該袋体の収納口を開閉することができるように、該収納口の外側に沿ってジッパーが設けられている、袋体と、
上記袋体内に収納可能に構成されたブランケット体であって、該ブランケット体の一辺縁が上記袋体の収納口を通って上記袋体の内装に分離可能に接続されている、ブランケット体と、
を備え、
上記ブランケット体の上記一辺縁に沿って１つ又は複数の係合具が設けられているとともに、これらと係合する１つ又は複数の係合具が、上記袋体の内側の所定の位置に設けられていることを特徴とする、ネックピロー可変式ブランケット。
【請求項３】
ネックピローの形状に形成された袋体であって、該袋体の収納口を開閉することができるように、該収納口の外側に沿って第１のジッパーが設けられている、袋体と、
上記袋体内に収納可能に構成されたブランケット体であって、該ブランケット体の一辺縁が上記袋体の収納口を通って袋体の内装に接続されている、ブランケット体と、
を備え、
上記ブランケット体の一辺縁に沿って第２のジッパーの一方の片側エレメントが設けられているとともに、上記袋体の収納口の内側の所定の位置に第２のジッパーの他方の片側エレメントが設けられていることを特徴とする、ネックピロー可変式ブランケット。
【請求項４】
上記袋体内に着脱可能に収納され或いは上記袋体の内装に縫い付けられたクッション体をさらに備える、請求項１〜３のいずれかに記載のネックピロー可変式ブランケット。
【請求項５】
上記ネックピローの形状に形成された袋体の両端部付近に、該両端部を互いに係合するため或いは上記ブランケット体を取り付けるための係合具をさらに有する、請求項１〜４のいずれかに記載のネックピロー可変式ブランケット。
【考案の詳細な説明】
【技術分野】
【０００１】
本考案は、ブランケットに関し、詳しくは、ネックピローの形態へ変形させることのできるネックピロー可変式ブランケットに関する。
【背景技術】
【０００２】
乗り物を利用して移動する乗客は自分の身体を冷やさないようにするために、膝掛け用ブランケットなどを使用することがある。
【０００３】
しかし、乗り物に乗った人がブランケットを掛けて座席で寝ているときに、寝返りを打った際にブランケットが身体から下に落ちてしまうことや、自分の身体の横にずれ落ちてしまうことがあった。
【０００４】
例えば、飛行機等の乗り物を利用して移動する乗客のなかには、ブランケットを使用するとともに、自分の首にネックピローを当てて午睡する人もいる。このネックピローとブランケットを用いる乗客は、ブランケットが自分の身体からずれたり、自分の身体の横へずれ落ちたりしないように、またネックピローも首からずれ落ちてしまわないように、常に気にしている必要があった。
【先行技術文献】
【特許文献】
【０００５】
【特許文献１】実用新案登録第３２０７２５０号公報
【考案の概要】
【考案が解決しようとする課題】
【０００６】
本考案は、ネックピローの形態へ変形させることのできるブランケットであって、使用者の身体に掛けたブランケットが身体の横へずれ落ちることを防止することのできるネックピロー可変式ブランケットを提供することを目的とする。
【課題を解決するための手段】
【０００７】
本考案の一実施例においては、ネックピローの形状に形成された袋体であって、該袋体の収納口を開閉することができるように、該収納口の外側に沿ってジッパーが設けられている、袋体と、上記袋体内に収納可能に構成されたブランケット体であって、該ブランケット体の一辺縁が上記袋体の収納口を通って上記袋体の内装に分離可能に接続されている、ブランケット体と、を備え、上記ブランケット体の上記一辺縁に沿って１つ又は複数の係合具が設けられているとともに、これらと係合する１つ又は複数の係合具が、上記袋体の内側の所定の位置に取り付けられた帯状体に設けられていることを特徴とする、ネックピロー可変式ブランケットを提供する。
【０００８】
他の実施例においては、ネックピローの形状に形成された袋体であって、該袋体の収納口を開閉することができるように、該収納口の外側に沿ってジッパーが設けられている、袋体と、上記袋体内に収納可能に構成されたブランケット体であって、該ブランケット体の一辺縁が上記袋体の収納口を通って上記袋体の内装に分離可能に接続されている、ブランケット体と、を備え、上記ブランケット体の上記一辺縁に沿って１つ又は複数の係合具が設けられているとともに、これらと係合する１つ又は複数の係合具が、上記袋体の内側の所定の位置に設けられていることを特徴とする、ネックピロー可変式ブランケットを提供する。
【０００９】
さらに他の実施例においては、ネックピローの形状に形成された袋体であって、該袋体の収納口を開閉することができるように、該収納口の外側に沿って第１のジッパーが設けられている、袋体と、上記袋体内に収納可能に構成されたブランケット体であって、該ブランケット体の一辺縁が上記袋体の収納口を通って袋体の内装に接続されている、ブランケット体と、を備え、上記ブランケット体の一辺縁に沿って第２のジッパーの一方の片側エレメントが設けられているとともに、袋体の収納口の内側の所定の位置に第２のジッパーの他方の片側エレメントが設けられていることを特徴とする、ネックピロー可変式ブランケットを提供する。
【００１０】
また、上記袋体内に着脱可能に収納され或いは上記袋体の内装に縫い付けられたクッション体をさらに備える。
【００１１】
また、ネックピローの形状に形成された袋体の両端部付近に、該両端部を互いに係合するため或いは上記ブランケット体を取り付けるための係合具を有する。
【図面の簡単な説明】
【００１２】
【図１】本考案のネックピロー可変式ブランケットを概略的に示す図（帯状体を有する袋体と、ブランケット体とが空間的に切り離された状態を示している）。
【図２】本考案のネックピロー可変式ブランケットを概略的に示す図（帯状体を有しない袋体と、ブランケット体とが空間的に切り離された状態を示している）。
【図３Ａ】ネックピロー可変式ブランケットを変形させる過程を示す図。
【図３Ｂ】ネックピロー可変式ブランケットを変形させる過程を示す図。
【図３Ｃ】ネックピロー可変式ブランケットを変形させる過程を示す図。
【図３Ｄ】ネックピロー可変式ブランケットを変形させる過程を示す図。
【図３Ｅ】ネックピロー可変式ブランケットを変形させる過程を示す図。
【図４】ネックピロー可変式ブランケットを変形させる過程を示す図。
【図５】ネックピローの形態へ変形されたときを示す図。
【図６】円形の枕の形態へ変形されたときを示す図。
【図７】クッション体の一例を示す図。
【図８】ブランケット体の使用例を示す図。
【図９】袋体を顎の下に置いている使用者を示す図。
【図１０】袋体を枕としている使用者を示す図。
【考案を実施するための形態】
【００１３】
本考案に係るネックピロー可変式ブランケット１について、添付の図面を参照しつつ説明する。
【００１４】
図１に示される実施例においては、袋体４の収納口１０の内側の所定の位置に、帯状体４０が取り付けられている。この帯状体４０に１つ又は複数のボタンホック３４が設けられているとともに、これらと係合し得るボタンホック３４が、ブランケット体２の一辺縁に沿って設けられている。これらのボタンホック３４を互いに係合させることにより、ネックピロー可変式ブランケット１の使用者は、必要に応じて、ブランケット体２と袋体４とを空間的に切り離して使用することができる。一実施例においては、上記所定の位置は、収納口１０の外側に沿って設けられたジッパーの片側エレメントと、ジッパー１０を開くと現れる第２のジッパーの片側エレメント２０との間の位置である。この第２のジッパーは、袋体４からクッション体６が出ないように袋体４の内側を閉じるためのものである。
【００１５】
図２に示される本考案の他の実施例においては、図１に示した帯状体を使用することなく、袋体４の収納口１０の内側の所定の位置に、１つ又は複数のボタンホック３４が直接的に設けられているとともに、これらと係合し得るボタンホック３４が、ブランケット体２の一辺縁に沿って設けられている。これらのボタンホック３４を互いに係合させることにより、ネックピロー可変式ブランケット１の使用者は、必要に応じて、ブランケット体２と袋体４とを空間的に切り離して使用することができる。他の実施例においては、ボタンホックに代わる係合手段として、面ファスナ等の他の係合具が使用される場合もある。
【００１６】
図３Ａ〜図３Ｅは、本考案のさらに他の実施例において、ネックピロー可変式ブランケット１の使用者が、袋体４からブランケット体２を引き出してブランケットとして使用できるように変形させる過程を示す。
【００１７】
図３Ａに示されるように、ブランケット体２は、使用者によって使用されていないときには袋体４に収納されており、第１のジッパー８が閉じられている。
【００１８】
図３Ｂに示されるように、ネックピローの形状に形成された袋体４の収納口１０を開閉することができるように、収納口１０の外側に沿って、第１のジッパー８が設けられている。また、袋体４内に、ブランケット体２が収納されており、該ブランケット体２の一辺縁が袋体４の収納口１０を通って袋体４の内装に接続されている。袋体４のジッパー８が開けられると、袋体４の収納口１０からブランケット体２が引き出される。
【００１９】
使用者が第１のジッパー８のスライダ２６を動かすことにより、第１のジッパー８の係合が解除されて、袋体４の収納口１０から、図３Ｃにおいて矢印Ａで示される方向へ、ブランケット体２を引き出すことができるようになる。
【００２０】
図３Ｄに示されるように、袋体４からブランケット体２が引き出されると、内装２２に接続されているブランケット体２の一辺縁に沿って設けられた第２のジッパー１８の一方の片側エレメント２０が現れるとともに、収納口１０の内側の所定の位置に設けられた、第２のジッパー１８の他方の片側エレメント２４も現れる。すなわち、図３Ｄに示されているように、ブランケット体２の一辺縁に沿って第２のジッパー１８の一方の片側エレメント２０が設けられているとともに、該一辺縁が、袋体４の収納口１０を通って袋体４の内装２２に接続されている。さらに、第２のジッパー１８の他方の片側エレメント２４が、収納口１０の内側の内装２２の所定の位置に沿って設けられている。使用者は、第２のジッパー１８の一方の片側エレメント２０と他方の片側エレメント２４を組み合わせるようにスライダ２８をスライド操作することにより、図３Ｅに示されるように、ブランケット体２と袋体４が繋がった状態のままで第２のジッパー１８を開閉することができる。第２のジッパー１８が閉じられているときには、袋体４からクッション体６が外へ出てしまうことがない。
【００２１】
図３Ａ〜図３Ｅについての説明は、ブランケット体２の裏側を図示しつつ説明したが、図４についての説明は、ブランケット体２及び袋体４の裏側と表側とを裏返して、ブランケット体２の表側を図示しつつ説明する。
【００２２】
図４Ａに示されている状態から、袋体４の両端部から延在するベルト１４，１６の先端付近に設けられた係合具（ワンタッチバックル等）１２を互いに係着させると、図４Ｂに示されるように、ベルト１４を首にかけてブランケット体２を使用することができるようになる。
【００２３】
図５は、ネックピローの形態（一例においては、概ね逆Ｕ字形の形態）に変形されたネックピロー可変式ブランケット１を示す。一実施例においては、袋体４の第１のジッパー８の両端部からベルト１４，１６が延在しており、これらのベルト１４，１６の先端付近に、該ベルト１４，１６を互いに係着させるための係合具（ワンタッチバックル等）１２が設けられている。
【００２４】
図６Ａは、円形の枕の形態に変形されたネックピロー可変式ブランケット１を示す。一実施例においては、ネックピローの形状に形成された袋体４の両端部にボタンホック（係合具）３４が設けられており、該ボタンホック３４を使って両端部が係合され得る。図６Ｂは、ボタンホック３４を拡大して示している。他の実施例においては、ボタンホック３４の代わりに、面ファスナ等の他の周知の係合具３４が使用され得る。
【００２５】
図７は、クッション体６の一例を示す図である。このようなクッション体６は、袋体４内に着脱可能に収納されている場合もあれば、袋体４の内装に縫い付けられている場合もある。
【００２６】
図８は、ネックピロー可変式ブランケット１の使用例を示している。乗り物の座席３２に座っている使用者３０の首の周りを袋体４が支えている。この袋体４の内装にブランケット体２が接続されているため、使用者３０の身体からブランケット体２がずれ落ちてしまうことがない。
【００２７】
図９は、使用者３０が、ネックピロー可変式ブランケット１の全体を自分の顎の下に配置して使用している様子を示している。このとき、ブランケット体２と袋体４に設けられている複数のボタンホック３４を互いに係合させることにより、ブランケット体２と袋体４とが接続されている。
【００２８】
一実施例においては、ネックピローの形状に形成された袋体の両端部付近に、ブランケット体２を取り付けることができるボタンホック３４を有する。図１０は、使用者３０が複数のボタンホック３４のうちの中央に位置するボタンホック３４を係合させることなく、ブランケット体２と袋体４との間から頭を出し、袋体４を枕として使用している様子を示している。
【００２９】
以上のように、本考案のネックピロー可変式ブランケット１は、ネックピローの形態から必要に応じてブランケット体２を取り出して使用することができるという利点と、使用者の身体に掛けられたブランケット体２が身体の横へずれることを防ぐことができるという利点を有する。
【符号の説明】
【００３０】
１…ネックピロー可変式ブランケット
２…ブランケット体
４…袋体
６…クッション体
８…第１のジッパー
１０…収納口
１２…係合具（ワンタッチバックル等）
１４…ベルト
１６…ベルト
１８…第２のジッパー
２０…（第２のジッパーの一方の）片側エレメント
２２…内装
２６…スライダ
２８…スライダ
３０…使用者
３２…座席
３４…係合具（ボタンホック等）
４０…帯状体
【図１】
0003218875.tif 000003
【図２】
0003218875.tif 000004
【図３Ａ】
0003218875.tif 000005
【図３Ｂ】
0003218875.tif 000006
【図３Ｃ】
0003218875.tif 000007
【図３Ｄ】
0003218875.tif 000008
【図３Ｅ】
0003218875.tif 000009
【図４】
0003218875.tif 000010
【図５】
0003218875.tif 000011
【図６】
0003218875.tif 000012
【図７】
0003218875.tif 000013
【図８】
0003218875.tif 000014
【図９】
0003218875.tif 000015
【図１０】
0003218875.tif 000016
【手続補正書】
【提出日】平成30年9月7日(2018.9.7)
【手続補正１】
【補正対象書類名】実用新案登録請求の範囲
【補正対象項目名】全文
【補正方法】変更
【補正の内容】
【実用新案登録請求の範囲】
【請求項１】
ネックピローの形状に形成された袋体であって、該袋体の収納口を開閉することができるように、該収納口の外側に沿ってジッパーが設けられている、袋体と、
上記袋体内に収納可能に構成されたブランケット体であって、該ブランケット体の一辺縁が上記袋体の収納口を通って上記袋体の内装に分離可能に接続されている、ブランケット体と、
を備え、
上記ブランケット体の上記一辺縁に沿って１つ又は複数の第１の係合具が設けられているとともに、これらと係合する１つ又は複数の第２の係合具が、上記袋体の内側の所定の位置に取り付けられた帯状体に設けられていることを特徴とする、ネックピロー可変式ブランケット。
【請求項２】
ネックピローの形状に形成された袋体であって、該袋体の収納口を開閉することができるように、該収納口の外側に沿ってジッパーが設けられている、袋体と、
上記袋体内に収納可能に構成されたブランケット体であって、該ブランケット体の一辺縁が上記袋体の収納口を通って上記袋体の内装に分離可能に接続されている、ブランケット体と、
を備え、
上記ブランケット体の上記一辺縁に沿って１つ又は複数の第１の係合具が設けられているとともに、これらと係合する１つ又は複数の第２の係合具が、上記袋体の内側の所定の位置に設けられていることを特徴とする、ネックピロー可変式ブランケット。
【請求項３】
ネックピローの形状に形成された袋体であって、該袋体の収納口を開閉することができるように、該収納口の外側に沿って第１のジッパーが設けられている、袋体と、
上記袋体内に収納可能に構成されたブランケット体であって、該ブランケット体の一辺縁が上記袋体の収納口を通って袋体の内装に接続されている、ブランケット体と、
を備え、
上記ブランケット体の一辺縁に沿って第２のジッパーの一方の片側エレメントが設けられているとともに、上記袋体の収納口の内側の所定の位置に第２のジッパーの他方の片側エレメントが設けられていることを特徴とする、ネックピロー可変式ブランケット。
【請求項４】
上記袋体内に着脱可能に収納され或いは上記袋体の内装に縫い付けられたクッション体をさらに備える、請求項１〜３のいずれかに記載のネックピロー可変式ブランケット。
【請求項５】
上記ネックピローの形状に形成された袋体の両端部付近に、該両端部を互いに係合するため或いは上記ブランケット体を取り付けるための第３の係合具をさらに有する、請求項１〜４のいずれかに記載のネックピロー可変式ブランケット。
【手続補正２】
【補正対象書類名】明細書
【補正対象項目名】０００７
【補正方法】変更
【補正の内容】
【０００７】
本考案の一実施例においては、ネックピローの形状に形成された袋体であって、該袋体の収納口を開閉することができるように、該収納口の外側に沿ってジッパーが設けられている、袋体と、上記袋体内に収納可能に構成されたブランケット体であって、該ブランケット体の一辺縁が上記袋体の収納口を通って上記袋体の内装に分離可能に接続されている、ブランケット体と、を備え、上記ブランケット体の上記一辺縁に沿って１つ又は複数の第１の係合具が設けられているとともに、これらと係合する１つ又は複数の第２の係合具が、上記袋体の内側の所定の位置に取り付けられた帯状体に設けられていることを特徴とする、ネックピロー可変式ブランケットを提供する。
【手続補正３】
【補正対象書類名】明細書
【補正対象項目名】０００８
【補正方法】変更
【補正の内容】
【０００８】
他の実施例においては、ネックピローの形状に形成された袋体であって、該袋体の収納口を開閉することができるように、該収納口の外側に沿ってジッパーが設けられている、袋体と、上記袋体内に収納可能に構成されたブランケット体であって、該ブランケット体の一辺縁が上記袋体の収納口を通って上記袋体の内装に分離可能に接続されている、ブランケット体と、を備え、上記ブランケット体の上記一辺縁に沿って１つ又は複数の第１の係合具が設けられているとともに、これらと係合する１つ又は複数の第２の係合具が、上記袋体の内側の所定の位置に設けられていることを特徴とする、ネックピロー可変式ブランケットを提供する。
【手続補正４】
【補正対象書類名】明細書
【補正対象項目名】００１１
【補正方法】変更
【補正の内容】
【００１１】
また、ネックピローの形状に形成された袋体の両端部付近に、該両端部を互いに係合するため或いは上記ブランケット体を取り付けるための第３の係合具を有する。
【手続補正５】
【補正対象書類名】明細書
【補正対象項目名】００２４
【補正方法】変更
【補正の内容】
【００２４】
図６（ａ）は、円形の枕の形態に変形されたネックピロー可変式ブランケット１を示す。一実施例においては、ネックピローの形状に形成された袋体４の両端部にボタンホック（第３の係合具）３４が設けられており、該ボタンホック３４を使って両端部が係合され得る。図６（ｂ）は、ボタンホック３４を拡大して示している。他の実施例においては、ボタンホック３４の代わりに、面ファスナ等の他の周知の係合具３４が使用され得る。